(57)【要約】【課題】キッチンペーパーの収容部周囲にデッドスペースが生じることなく、キッチンペーパーを他の物品と接触や干渉することなく、小さなスペースで引出し内に収納し、キッチンペーパー簡単に取り出し、交換することを可能とする。【解決手段】キッチンペーパーホルダー１は、引出し等の引出し２の内部に着脱自在に取り付けられ、ロール状のキッチンペーパーの中空部に挿入するためのホルダー本体１８と、ホルダー本体１８を支持するためのホルダー支持片２０と、ホルダー本体１８をホルダー支持片２０に対して回動軸４９を介して回動自在に取り付けるホルダー本体支持部材２１と、ホルダー支持片２０を固定すると共に引出し２の側壁部１１に着脱自在に取り付けられる仕切り部材１９と、を備えている。【選択図】図１
2015119755.tif 000002
【特許請求の範囲】
【請求項１】
引出しの内部に着脱自在に取り付けられるキッチンペーパーホルダーであって、
ロール状のキッチンペーパーの中空部に挿入するためのホルダー本体と、
ホルダー本体を支持するためのホルダー支持片と、
ホルダー本体をホルダー支持片に対して回動軸を介して回動自在に取り付けるホルダー本体支持部材と、
引出しの側壁部に着脱自在に取り付けられ、かつホルダー支持片を取り付けるためのガイド溝が形成された仕切り部材と、
を備えていることを特徴とするキッチンペーパーホルダー。
【請求項２】
仕切り部材には、ガイド溝としてホルダー支持片を第１の方向と第２の方向のうちいずれかの方向に選択的に取り付けることが可能なように第１および第２のガイド溝が形成されていることを特徴とする請求項１に記載のキッチンペーパーホルダー。
【請求項３】
ホルダー本体支持部材には、ホルダー本体が略水平よりも下方に回動することを規制する回動規制部を備えていることを特徴とする請求項１又は２に記載のキッチンペーパーホルダー。                 
【請求項４】
ホルダー本体支持部材は、ホルダー本体が略水平状態でキッチンペーパーの中空部に挿入することができるよう、実質的にホルダー本体と同一外径に形成されており、ホルダー本体とホルダー本体支持部材の両方がキッチンペーパーの中空部に挿入された状態では、ホルダー本体が回動できないような構成とされていることを特徴とする請求項１から３のいずれかに記載のキッチンペーパーホルダー。 
【請求項５】
仕切り部材の側端部であり、かつ引出しの側壁部と当接する部位には保護部材が添設されていることを特徴とする請求項１から４のいずれかに記載のキッチンペーパーホルダー。
【請求項６】
仕切り部材にはキッチンペーパーをカットするためのペーパーカッターが取り付けられていることを特徴とする請求項１から５のいずれかに記載のキッチンペーパーホルダー。
【請求項７】
ペーパーカッターは、
キッチンペーパーをカットするカット部と、
カット部をキッチンペーパーに押圧状態で当接可能とするための弾性部材と、
内部に弾性部材を収容し、かつカット部を保持するとともに仕切り部材に取り付けるための取り付け部と、
を含んでいることを特徴とする請求項６に記載のキッチンペーパーホルダー。
【請求項８】
カット部の先端に設けられた刃部が平面視で中央が凹んだ凹形状に形成されていることを特徴とする請求項７に記載のキッチンペーパーホルダー。
【発明の詳細な説明】
【技術分野】
【０００１】
本発明は、キャビネットの引出し内に取り付けるキッチンペーパーホルダーに関する。
【背景技術】
【０００２】
従来、キャビネットの引出しにはさまざまなキッチン用品を収容するため、使用者はそれぞれの事情に応じて引出しを使い分けている。一方でキッチンペーパーは多くの家庭で使用されているが、市販のペーパーホルダーをキッチンの天板上に置いたり、アッパーキャビネットの底板にペーパーホルダーを固定したりしている。
【０００３】
例えば、キッチンタオル取付用穴を上面部に固定した上部突起片へ差し込み、上面部まで持ち上げ、その後、下面部に固定された下部突起片へ取付用穴を落とし込むことにより、キッチンタオルを縦方向に保持し、キッチンの天板等に設置して用いる縦置き式キッチンタオルホルダーが知られている（特許文献１参照）。
【０００４】
また、引出し内の任意の場所にキッチンペーパーホルダーを設置する技術として、キッチンの引出しの内部にキッチンペーパー等の芯体を支持するローラ軸を軸架可能とし、キッチンペーパー等を軸架した上方にカッター刃を配置したものが知られている（特許文献２参照）。
【０００５】
さらに、キッチンキャビネット内において、一方の側板の内面部に隣接して、ペーパーホルダーが載置される台座が備えられたキッチンキャビネット用引出しが知られている（特許文献３参照）。
【先行技術文献】
【特許文献】
【０００６】
【特許文献１】実用新案登録第３０９８６３０号公報
【特許文献２】実開平５−２０６４１号公報
【特許文献３】特開２０１０−１５４９９１号公報
【発明の概要】
【発明が解決しようとする課題】
【０００７】
上記のとおり、キッチンペーパーをペーパーホルダーに収納したとしても、キッチンの天板上に置いたりして使用することは、見栄えが良いとは言えない。
【０００８】
また、キャビネットの引出し内に収容するとなると、キッチンペーパーが引出し内で転がったりしてしまい、また引出し内に適切な仕切りがない等の事情により、キッチンペーパーが他の物品と接触したりして、引出し内が整然としないばかりか、キッチンペーパーが他の物品によって汚れてしまい、さらに他の物品の干渉を避けてキッチンペーパーを収納したり交換したりすることも厄介で面倒である等の問題が生じる。
【０００９】
そこで、引出し内で他の物品と接触しないようにするために、その周囲には物品を収納しないようすると、引出し内におけるキッチンペーパーの収容部の周囲にデッドスペースが生じ、キッチンペーパーの収納だけのために引出し内の大きなスペースを占有してしまうという問題が生じる。
【００１０】
仮に、例えば、特許文献１記載のような構造のホルダーを引出し内に設けて、これにキッチンペーパーを収納する構成も考えられるが、引出しキャビネットの上下方向にスペースを必要とし、キッチンペーパーホルダーを設けられない、或いは設けることはできてもスペースを余計に必要とし、またキッチンペーパーの交換のためにホルダーを取り出す必要があり、交換作業も面倒である等の問題がある。
【００１１】
本発明は、従来の上記のような問題を解決することを目的とし、キッチンペーパーの収容部周囲にデッドスペースが生じることなく、キッチンペーパーを他の物品と接触や干渉することなく、小さなスペースで収納し、キッチンペーパー簡単に取り出し、交換することが可能なキャビネットの引出し内に取り付けるキッチンペーパーホルダーを実現することを課題とする。
【課題を解決するための手段】
【００１２】
本発明は上記課題を解決するために、引出しの内部に着脱自在に取り付けられるキッチンペーパーホルダーであって、ロール状のキッチンペーパーの中空部に挿入するためのホルダー本体と、ホルダー本体を支持するためのホルダー支持片と、ホルダー本体をホルダー支持片に対して回動軸を介して回動自在に取り付けるホルダー本体支持部材と、引出しの側壁部に着脱自在に取り付けられ、かつホルダー支持片を取り付けるためのガイド溝が形成された仕切り部材と、を備えていることを特徴とするキッチンペーパーホルダーを提供する。
【００１３】
仕切り部材には、ガイド溝としてホルダー支持片を第１の方向と第２の方向のうちいずれかの方向に選択的に取り付けることが可能なように第１および第２のガイド溝が形成されていることが好ましい。
【００１４】
ホルダー本体支持部材には、ホルダー本体が略水平よりも下方に回動することを規制する回動規制部を備えていることが好ましい。                 
【００１５】
ホルダー本体支持部材は、ホルダー本体が略水平状態でキッチンペーパーの中空部に挿入することができるよう、実質的にホルダー本体と同一外径に形成されており、ホルダー本体とホルダー本体支持部材の両方がキッチンペーパーの中空部に挿入された状態では、ホルダー本体が回動できないような構成とされていることが好ましい。  
【００１６】
仕切り部材の側端部であり、かつ引出しの側壁部と当接する部位には保護部材が添設されていることが好ましい。
【００１７】
仕切り部材にはキッチンペーパーをカットするためのペーパーカッターが取り付けられていることが好ましい。
【００１８】
ペーパーカッターは、キッチンペーパーをカットするカット部と、カット部をキッチンペーパーに押圧状態で当接可能とするための弾性部材と、内部に弾性部材を収容し、かつカット部を保持するとともに仕切り部材に取り付けるための取り付け部と、
を含んでいることが好ましい。
【００１９】
カット部の先端に設けられた刃部が平面視で中央が凹んだ凹形状に形成されていることが好ましい。
【発明の効果】
【００２０】
本発明によれば、キャビネットの引出し内に、キッチンペーパーの収容部周囲にデッドスペースが生じることなく、キッチンペーパーを他の物品と接触や干渉することなく、小さなスペースで収納でき、キッチンペーパーを簡単に取り出し、交換することが可能となる。
【図面の簡単な説明】
【００２１】
【図１】（ａ）は本発明に係るキッチンペーパーホルダー実施例の全体構成を示す平面図であり、（ｂ）は仕切り部材の変形例を示し、（ｃ）は仕切り部材さらに別の変形例を示す。
【図２】（ａ）は上記実施例のキッチンペーパーホルダーの仕切り部材の斜視図であり、（ｂ）、（ｃ）はキッチンペーパーホルダーのホルダー支持片、ホルダー本体支持部材およびホルダー本体を示す斜視図である。
【図３】上記実施例の作用を説明する斜視図であり、（ａ）はホルダー本体に向けてキッチンペーパーを挿入しようとする状態を示し、（ｂ）はホルダー本体支持部材およびホルダー本体にキッチンペーパーを挿入した状態を示す。
【図４】カッターを説明する図であり、（ａ）はカッターの斜視図であり、（ｂ）はカッターの水平断面図である。
【図５】（ａ）はキッチンペーパーホルダーの変形例の全体構成を示す平面図であり、（ｂ）は変形例の仕切り部材の斜視図である。
【発明を実施するための形態】
【００２２】
本発明に係るキッチンペーパーホルダーを実施するための形態を実施例に基づき図面を参照して、以下説明する。
【実施例】
【００２３】
本発明に係るキッチンペーパーホルダーの実施例を図１〜５を参照して説明する。図１（ａ）は、本実施例のキッチンペーパーホルダー１の全体構成を示す平面図であり、この図１に示すように、キッチンペーパーホルダー１は、引出し２の内部に取り付けられている。
【００２４】
キッチンペーパーホルダー１は、長手方向に延び軸心を中心とした中空部３を有するロール状のキッチンペーパー４（図３参照）を保持するものであり、使用者はキッチンペーパー４の端を把持して、引出し、後記するペーパーカッター７（図４参照）で切断して使用することができる。
【００２５】
ここで、引出し２は、例えば、キッチンキャビネットの幕板の直ぐ下の上から１段目又はその下の２段目のキッチンキャビネットの引出し等である。引出し２は、図１（ａ）に示すように、前側（キャビネットの正面の使用者側）に設けられた扉部１０と、左右の側壁部１１と、背板部１２と、底部１３と、を備えている。扉部１０には、前方に向かってハンドル１４が取り付けられている。
【００２６】
なお、ここでは図示はしないが、引出し２としては、左右の側壁部１１の高さが低く、その代わりに左右の側壁部１１の上方に、側壁部１１に沿って支持パイプ（「ギャラリーパイプ」とも呼ばれている）が設置されているタイプの引出しにも適用可能である。
【００２７】
キッチンペーパーホルダー１は、図１（ａ）、図２（ａ）〜（ｃ）に示すように、ホルダー本体１８と、仕切り部材１９と、ホルダー支持片２０と、ホルダー本体支持部材２１と、を備えている。
【００２８】
仕切り部材１９は、木材、樹脂、金属材等で製造され、図２（ａ）に示すように、矩形の板材から形成されている。仕切り部材１９の左右の側端部であり、かつ引出し２の側壁部１１の内面と当接する部位には、保護部材２４が添設されている。
【００２９】
保護部材２４は、ゴムのような弾力性部材、プラスチック部材等から成る。図１（ａ）に示すように、仕切り部材１９は、後記するとおり、引出し２の左右の側壁部１１の間に、左右の側壁部１１の内面に対して圧接するようにして装着される。この際、保護部材２４は、左右の側壁部１１、上記支持パイプ等を傷をつけないような機能を有する。
【００３０】
左右の保護部材２４を含めて仕切り部材１９の長手方向（図１（ａ）において左右方向）の長さは、引出し２の左右の側壁部１１の間の間隔より僅かに大きく形成されている。これによって、仕切り部材１９を、引出し２の左右の側壁部１１の間に、左右の側壁部１１の内面に対して圧接するようにして装着することで、図１（ａ）に示すように、引出し２を前方スペース２５と後方スペース２６に仕切ることが可能となる。
【００３１】
上記のとおり、仕切り部材１９を、引出し２の左右の側壁部１１の間に、左右の側壁部１１の内面に対して圧接するようにして装着する構成であることを考慮すると、仕切り部材１９の左右方向への長さを調整可能な構成としてもよい。
【００３２】
例えば、図１（ｂ）は変形例の仕切り部材３０を示すが、２つの部材３１、３２から構成し、これら２つの部材３１、３２を、いわゆる入れ子式に互いに部分的に嵌合してスライド可能とし、左右方向の長さを調整し、左右の側壁部１１の内面に対して圧接した状態で、ビス３３等で固定可能とする構成としてもよい。
【００３３】
また、図１（ｃ）は、仕切り部材３０の構成を一部変更したさらに別の変形例の仕切り部材３４を示す。この仕切り部材３４は、２つの部材３１、３２の嵌合部分に圧縮バネ３５を装入して、常時左右方向に付勢され、左右の側壁部１１の内面に対して圧接可能とする構成である。
【００３４】
仕切り部材１９は、図２（ａ）に示すように、その前面の左右に第１のガイド溝４１と第２のガイド溝４２が形成されている。第１のガイド溝４１と第２のガイド溝４２は、仕切り部材１９の前面から後方に凹んでおり上下方向に延びるように形成されている。詳細は後記するが、仕切り部材１９には、前後方向に貫通して、ペーパーカッター７を取り付けるための差し込み孔４３が形成されている。
【００３５】
ホルダー支持片２０は、図２（ｂ）、（ｃ）に示すように、矩形の板材から形成されている。ホルダー支持片２０の前後両端には、図１（ａ）、図２（ｂ）、（ｃ）に示すように、ゴム等の弾力性部材、プラスチック部材等の保護部材が添設されている。ホルダー支持片２０は、仕切り部材１９と扉部１０の後面の間に装着され固定される。
【００３６】
具体的には、ホルダー支持片２０の前端部は、保護部材４６を介して、仕切り部材１９の第１のガイド溝４１および第２のガイド溝４２の選択されたいずれか（本実施例では図１（ａ）において第１のガイド溝４１）に嵌合される。一方、ホルダー支持片２０の後端部は、保護部材４６を介して、扉部１０の後面に圧接される。
【００３７】
なお、ホルダー支持片２０とホルダー本体支持部材２１は、平面視でＴ字型に一体で形成してもよい。図示はしないが、ホルダー支持片２０も仕切り部材１９と同様に、入れ子式でスライド可能な構成、あるいは圧縮バネを装入して前後方向の幅を選択可能な構成としても良い。ホルダー支持片２０と引出し２の側壁１１とで囲まれた空間２３は、収納スペースとして利用できる。
【００３８】
ホルダー支持片２０の側面（本実施例では図１（ａ）において右側の側面）に、図１（ａ）、図２（ｂ）、（ｃ）に示すように、ホルダー本体支持部材２１が側方に向けて水平に突出するように固定されている。ホルダー本体支持部材２１は、ホルダー本体１８が略水平状態に倒されたときに、キッチンペーパー４の中空部３に挿入することができるように、実質的にホルダー本体１８と同一外径又は同一幅に形成されている。
【００３９】
ここで、実質的に同一外径とは、ホルダー本体１８の外径や幅と、ホルダー本体支持部材２１の主要部（後記する回転規制部５３を除いた部分）の外径や幅とが略同一であることを示す。
【００４０】
なお、ホルダー本体支持部材２１は、キッチンペーパー４の中空部３に挿入された状態で、ホルダー本体１８とともにキッチンペーパー４を回転可能に支持する。このように、ホルダー本体支持部材２１は、キッチンペーパー４を回転可能に支持することが可能であれば、棒材、矩形の板材等のいずれでもよい。
【００４１】
ホルダー本体１８は、図２（ｂ）、（ｃ）に示すように、円筒又は円柱状に形成されており、その外径は、キッチンペーパー４の中空部３より小さく形成されている。ホルダー本体１８は、キッチンペーパー４の中空部３に挿入して、ホルダー本体支持部材２１とともにキッチンペーパー４を回転可能に保持することができる（図３参照）。使用者は、キッチンペーパー４をその端を把持して引き出すことができる。
【００４２】
ホルダー本体１８の基端部には、図１（ａ）、図２（ｂ）、（ｃ）に示すように、Ｕ字型の凹部４７が形成され、この凹部４７に、ホルダー本体支持部材２１の先端部２２が嵌合されている。このように互いに嵌合されるホルダー本体支持部材２１の先端部２２とホルダー本体１８のＵ字型の凹部４７には、それぞれを貫通するように、回動軸取付け孔４８が形成されている。
【００４３】
回動軸取付け孔４８に回動軸４９が嵌着され、この回動軸４９を介して（軸心として）、ホルダー本体１８は、ホルダー本体支持部材２１およびホルダー支持片２０に対して回動可能である。換言すると、回動軸４９によって、ホルダー本体支持部材２１とホルダー本体１８はリンク機構を構成している。
【００４４】
ホルダー本体支持部材２１の先端部２２の下面には、図２（ｂ）、（ｃ）に示すように、ホルダー本体１８を下側から受けて支持するように、ホルダー本体１８方向に向けて突出する回動規制部５３が設けられている。
【００４５】
ホルダー本体１８は、ホルダー本体支持部材２１に対し、回動軸４９を介して上下方向に回動するが、下方への回動は、回動規制部５３によって規制されるので、ホルダー本体１８は、下方には、ホルダー本体支持部材２１と一直線の姿勢となるまでしか、回動できない。
【００４６】
また、ホルダー本体１８とホルダー本体支持部材２１の両方がキッチンペーパー４の中空部３に挿入された状態では、ホルダー本体１８は、回動軸４９を中心に上方に回動できない。
【００４７】
なお、ホルダー本体１８が第１の方向である右方向（図１（ａ）参照）に向かうように設ける場合は、ホルダー支持片２０が仕切り部材１９の第１の溝４１に圧接して扉部１０との間に固定し、ペーパーカッター７が、第２の方向である左方向に向かうように設ける場合は、ホルダー支持片２０が仕切り部材１９の第２の溝４２に圧接して扉部１０との間に固定すればよい。
【００４８】
仕切り部材１９には、図１（ａ）に示すように、キッチンペーパー４をカットするためのペーパーカッター７が取り付けられている。キッチンペーパー４の外観は、図４（ａ）に斜視図として示し、図４（ｂ）に水平断面図によって内部の構成を示す。
【００４９】
ペーパーカッター７は、その先端に位置するカット部５４と、カット部５４をキッチンペーパー４に押圧状態で当接可能とするための弾性部材５５と、内部に弾性部材５５を収容し、かつカット部５４を前方に向けて外部に出没可能に保持するとともに仕切り部材１９に取り付けるための取り付け部５６を有する。
【００５０】
取り付け部５６は、全体的には四角筒状に形成されており、前面開口５９と後面蓋６０を有する。カット部５４は、その基端側が取り付け部５６内に摺動可能に装入されており、基端には抜け防止部６１が形成されている。弾性部材５５は、本実施例では圧縮バネが使用され、後面蓋６０と抜け防止部６１の間に配置され、カット部５４を前面開口５９から前方に突出するように常時、付勢している。
【００５１】
カット部５４の先端の刃部６２は、平面視で中央が凹んだ凹形状（波形状）に形成されており、弾性部材５５でキッチンペーパー４に押圧され、キッチンペーパー４に形成された切れ目（ミシン目）内に食い込む状態とされる。
【００５２】
前記したとおり、仕切り部材１９には、図２（ａ）に示すように、ペーパーカッター７の取り付け部５６を差し込んで固定するための差し込み孔４３が形成されている。差し込み孔４３は、上下方向においてキッチンペーパー４の軸心に対応する位置、つまりホルダー本体１８の軸心と同じ高さ位置に形成されるのが好ましい。これによりキッチンペーパー４の残量に関わらず、キッチンペーパー４の軸心に向けて刃部６２を当接することができる。
【００５３】
ペーパーカッター７は、その取り付け部５６を差し込み孔４３に差し込んで、刃部６２がキッチンペーパー４に向き合い、弾性部材５５の付勢力は、キッチンペーパー４の軸心に向けて加えられるように、仕切り部材１９に固定される。
【００５４】
本実施例では、差し込み孔４３は、仕切り部材１９の１箇所に設けられている。これは、ホルダー本体１８が第１の方向である右方向（図１（ａ）参照）に向かうようにホルダー支持片２０が仕切り部材１９に固定される場合でも、ペーパーカッター７が、第２の方向である左方向に向かうようにホルダー支持片２０が仕切り部材１９に固定される場合でも、ペーパーカッター７を共用できるために、ペーパーカッター７がキッチンペーパー４の長手方向の略中央に位置に対応するように、差し込み孔４３を仕切り部材１９に形成した。
【００５５】
しかし、ペーパーカッター７は、その刃部６２がキッチンペーパー４の長手方向の端部に当接可能に設けられている方が、使用者はキッチンペーパー４を切断して取りやすい。例えば、使用者が右利きの場合は、図５（ａ）においてペーパーカッター７は、キッチンペーパー４の左端側に対応して左側に、使用者が左利きの場合は、図５（ａ）においてペーパーカッター７は、キッチンペーパー４の左端側に対応して右側に設けるとよい。
【００５６】
そこで、ホルダー本体１８が左右いずれの方向に向かうように選択されて取り付けられる場合でも、刃部６２がキッチンペーパー４の長手方向の端部に対応して当接可能に設けられるように、差し込み孔４３は、図５（ｂ）に示すように、仕切り部材１９の長手方向の適宜、左右２箇所に設けることが好ましい。
【００５７】
（作用）
以上の構成から成るキッチンペーパーホルダー１の作用について、その使用の仕方とともに説明する。引出し２内に設けられたキッチンペーパーホルダー１は、非使用状態では、図２（ｂ）に示すように、ホルダー本体１８が回動規制部５３で下側から支持され、ホルダー本体支持部材２１と水平で直線状の姿勢となっている。
【００５８】
使用に際して、使用者がキッチンペーパー４をキッチンペーパーホルダー１に装着する際は、図２（ｃ）、図３（ａ）に示すように、ホルダー本体１８をホルダー本体支持部材２１に対して回動軸４９を中心に上方に回動し、上下方向に起立した状態にする。そして、ホルダー本体１８がキッチンペーパー４の中空部３に挿入されるように、キッチンペーパー４を上方からホルダー本体１８に取り付ける。
【００５９】
ホルダー本体１８をキッチンペーパー４に挿入した状態で、下方に回動し回動規制部５３によって、ホルダー本体支持部材２１と水平で一直線状の姿勢とする。この状態で、キッチンペーパー４をホルダー本体支持部材２１側に向けて押し込んでいく。
【００６０】
すると、図３（ｂ）に示すように、キッチンペーパー４は、その中空部３内に、ホルダー本体１８とホルダー本体支持部材２１が挿入され、キッチンペーパーホルダー１に装着された状態となる。
【００６１】
使用者がキッチンペーパー４を使用する際に、キッチンペーパー４の一部を切断して取り出す場合は、先端を把持してペーパーカッター７の刃部６２を、キッチンペーパー４の切れ目内に食い込ませて引きちぎるように切断すればよい。
【００６２】
キッチンペーパー４は、その中空部３内に、ホルダー本体１８とホルダー本体支持部材２１が挿入され、ホルダー本体１８とホルダー本体支持部材２１から成るリンク機構が回動軸４９も含めて中空部３内に位置するので、キッチンペーパー４を引っ張っても、ホルダー本体１８は水平状態を維持され、起き上がるようなことがない。
【００６３】
キッチンペーパーホルダー１によると、ホルダー本体支持部材２１とホルダー本体１８はリンク機構を構成し、ホルダー本体１８は、ホルダー本体支持部材２１に対して回動軸４９を中心に上方に回動することで上下方向に起立した状態にできる。従って、キッチンペーパー４の交換の際は、上方からキッチンペーパー４の脱着作業できるので、作業し易く、また交換作業は引出し２内の小さなスペースで行うことができる。
【００６４】
そして、キッチンペーパー４にホルダー本体１８を挿入させてから、ホルダー本体１８を回動して水平状態として、キッチンペーパー４をホルダー本体支持部材２１側に押し込んで、水平状態に引出し２内に収まって装着することができるので、引出し２内でキッチンペーパー４の収納に要するスペースは小さくすることができるとともに、引出し２をキャビネットに対して干渉されるようなことなく開閉可能とする。
【００６５】
引出し２内は、キッチンペーパーホルダー１の仕切り部材１９で前後のスペース２５、２６に仕切られるので、後方のスペース２６に収納される物品とキッチンペーパー４は、互いに接触して干渉することなく、整然とすっきりした収納が可能となる。キッチンペーパー４は、キャビネット内に収納できるので、埃やチリ等の付着を防ぐことができ、衛生的にも好ましい。
【００６６】
仕切り部材１９には、左右に第１のガイド溝４１および第２のガイド溝４２が形成されており、キッチンペーパーホルダー１の取付け方向を左右方向に選択可能および入れ替え可能としたので、キッチンペーパー４は、右利きの使用者および左利きの使用者のいずれにも対応ができ、使用勝手がよい。
【００６７】
ペーパーカッター７の刃部６２は、弾性部材５５によって、常時、キッチンペーパー４に当接するように弾力的に付勢されているので、刃部６２がキッチンペーパー４の切れ目内に食い込ませ易くなり、使用者がキッチンペーパー４を切断し易い。
【００６８】
なお、刃部６２がキッチンペーパー４に向き合い、弾性部材５５の付勢力は、キッチンペーパー４の軸心に向けて加えられるように、ペーパーカッター７は仕切り部材１９に固定され、キッチンペーパー４の同じ位置に弾性部材５５によって刃部６２が圧接されているので、キッチンペーパー４の残量の大小に拘わらず、一つのアクションでキッチンペーパー４を切断することができる。
【００６９】
以上、本発明に係るキッチンペーパーホルダーを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７０】
本発明に係るキッチンペーパーホルダーは上記のような構成であるから、キッチンだけでなく、洗面所、リビング等、他の部屋に設けられたキャビネットの引出し内にも適用可能である。
【符号の説明】
【００７１】
１  キッチンペーパーホルダー                       
２  引出し                                           
３  キッチンペーパーの中空部                       
４  キッチンペーパー                               
７  ペーパーカッター                               
１０  引出しの扉部                                   
１１  引出しの左右の側壁部                           
１２  引出しの背板部                                 
１３  引出しの底部                                   
１４  引出しのハンドル                               
１８  ホルダー本体                                 
１９  仕切り部材                                   
２０  ホルダー支持片                               
２１  ホルダー本体支持部材                         
２２  ホルダー本体支持部材の先端部 
２３  ホルダー支持片と引出しの側壁とで囲まれた空間              
２４  仕切り部材の保護部材                         
２５  引出しの前方スペース                           
２６  引出しの後方スペース                           
３０  変形例の仕切り部材                           
３１、３２  変形例の仕切り部材を構成する部材       
３３  変形例の仕切り部材のビス                     
３４  別の変形例の仕切り部材                       
３５  別の変形例の圧縮バネ                         
４１  仕切り部材の第１のガイド溝                   
４２  仕切り部材の第２のガイド溝                   
４３  仕切り部材の差し込み孔                       
４６  ホルダー支持片の保護部材                     
４７  ホルダー本体のＵ字型の凹部                   
４８  回動軸取付孔                                 
４９  回動軸                                       
５３  回動規制部                                   
５４  ペーパーカッターのカット部                   
５５  ペーパーカッターの弾性部材                   
５６  ペーパーカッターの取り付け部                 
５９  ペーパーカッターの取り付け部の前面開口       
６０  ペーパーカッターの取り付け部の後面蓋         
６１  ペーパーカッターのカット部の抜け防止部       
６２  ペーパーカッターのカット部の刃部             
【図１】
2015119755.tif 000003
【図２】
2015119755.tif 000004
【図３】
2015119755.tif 000005
【図４】
2015119755.tif 000006
【図５】
2015119755.tif 000007